【手続補正書】
【提出日】令和3年2月1日(2021.2.1)
【手続補正１】
【補正対象書類名】特許請求の範囲
【補正対象項目名】全文
【補正方法】変更
【補正の内容】
【特許請求の範囲】
【請求項１】
着色剤、結晶性コポリエステル−コポリジメチルシロキサン樹脂および非晶質樹脂を備えるコアと、前記コアを覆うポリマーシェルと、を備える冷圧定着トナー組成物。
【請求項２】
前記結晶性コポリエステル−コポリジメチルシロキサン樹脂がコポリ−（エチレンドデカノエート）−コポリ−（３−プロピル−ジメチルシロキサン）である、請求項１に記載のトナー。
【請求項３】
前記結晶性コポリエステル−コポリジメチルシロキサン樹脂は、コポリ（ヘキシレンドデカノエート）−コポリ−（３−プロピル−ジメチルシロキサン）、コポリ（ブチレンドデカノエート）−コポリ−（３−プロピル−ジメチルシロキサン）、コポリ−（エチレンセバケート）−コポリ−（３−プロピル−ジメチルシロキサン）、コポリ−（ブチレンセバケート）−コポリ−（３−プロピル−ジメチルシロキサン）、コポリ−（ブチレンドデカノエート）−コポリ−（３−プロピル−ジメチルシロキサン）、コポリ−（エチレンドデカノエート）−コポリ−（３−プロピル−ジメチルシロキサン）、およびコポリ−（ノニレンドデカノエート）−コポリ−（３−プロピル−ジメチルシロキサン）で構成される群から選択される、請求項１に記載のトナー。
【請求項４】
前記非晶質樹脂が、ｔｅｒｐｏｌｙ−（プロポキシル化ビスフェノールＡ−テレフタレート）−ｔｅｒｐｏｌｙ−（プロポキシル化ビスフェノールＡ−ドデセニルコハク酸エステル）−ｔｅｒｐｏｌｙ−（プロポキシル化ビスフェノールＡ−フマレート）、ｔｅｒｐｏｌｙ−（プロポキシル化ビスフェノールＡ−テレフタレート）−ｔｅｒｐｏｌｙ−（プロポキシル化ビスフェノールＡ−ドデセニルコハク酸エステル）−ｔｅｒｐｏｌｙ−（エトキシル化ビスフェノールＡ−テレフタレート）−ｔｅｒｐｏｌｙ−（エトキシル化ビスフェノールＡ−ドデセニルコハク酸エステル）−ｔｅｒｐｏｌｙ−（プロポキシル化ビスフェノールＡ−トリメリテート）−ｔｅｒｐｏｌｙ−（エトキシル化ビスフェノールＡ−トリメリテート）、ポリ（プロポキシル化ビスフェノールＡ−コフマレート）、コポリ（プロポキシル化ビスフェノール−フマレート）−コポリ（トリメチロールプロポキシル化−ビスフェノール−フマレート）、コポリ（エトキシル化ビスフェノール−フマレート）−コポリ（トリメチロールプロポキシル化−ビスフェノール−フマレート）およびコポリ（ブトキシル化ビスフェノール−フマレート）−コポリ（トリメチロールプロポキシル化−ビスフェノール−フマレート）で構成される群から選択される、請求項１に記載のトナー。
【請求項５】
前記非晶質樹脂が、ｔｅｒｐｏｌｙ−（プロポキシル化ビスフェノールＡ−テレフタレート）−ｔｅｒｐｏｌｙ−（プロポキシル化ビスフェノールＡ−ドデセニルコハク酸エステル）−ｔｅｒｐｏｌｙ−（プロポキシル化ビスフェノールＡ−フマレート）である、請求項１に記載のトナー。
【請求項６】
前記結晶性コポリエステル−コポリジメチルシロキサン樹脂は、前記トナーの１０重量％から７５重量％の量で存在し、前記非晶質樹脂は、前記トナーの２５重量％から５０重量％の量で存在する、請求項１に記載のトナー。
【請求項７】
前記ポリマーシェルは、ｔｅｒｐｏｌｙ−（プロポキシル化ビスフェノールＡ−テレフタレート）−ｔｅｒｐｏｌｙ−（プロポキシル化ビスフェノールＡ−ドデセニルコハク酸エステル）−ｔｅｒｐｏｌｙ−（プロポキシル化ビスフェノールＡ−フマレート）、コポリ−（プロポキシル化ビスフェノールＡ−テレフタレート）−コポリ−（プロポキシル化ビスフェノールＡ−ドデセニルコハク酸エステル）−コポリ−（エトキシル化ビスフェノールＡ−テレフタレート）−コポリ−（エトキシル化ビスフェノールＡ−ドデセニルコハク酸エステル）−コポリ−（プロポキシル化ビスフェノールＡ−トリメリテート）−コポリ−（エトキシル化ビスフェノールＡ−トリメリテート）、ポリ（プロポキシル化ビスフェノールＡ−コフマレート）、コポリ（プロポキシル化ビスフェノール−フマレート）−コポリ（トリメチロールプロポキシル化−ビスフェノール−フマレート）、コポリ（エトキシル化ビスフェノール−フマレート）−コポリ（トリメチロールプロポキシル化−ビスフェノール−フマレート）、ｔｅｒｐｏｌｙ−（プロポキシル化ビスフェノールＡ−テレフタレート）−ｔｅｒｐｏｌｙ−（プロポキシル化ビスフェノールＡ−ドデセニルコハク酸エステル）−ｔｅｒｐｏｌｙ−（プロポキシル化ビスフェノールＡ−フマレート）−（プロポキシル化ビスフェノールＡ−トリメリテート）、コポリ（プロポキシル化１，４−ジフェノール−フマレート）−コポリ（グリセリンオキシル化−ジフェノール−フマレート）からなる群から選択される非晶質樹脂を含む、請求項１に記載のトナー。
【請求項８】
前記ポリマーシェルは、ポリスチレンアクリレート非晶質樹脂を含む、請求項１に記載のトナー。
【請求項９】
前記ポリマーシェルは、ポリスチレン−アクリレート、ポリスチレン−メタクリレート、ポリスチレン−ブタジエン、ポリアクリレート、ポリメタクリレート、ポリスチレン−２−エチルヘキシルアクリレート、ポリスチレン−２−エチルヘキシルメタクリレート、およびこれらの混合物からなる群から選択されるスチレンモノマーまたはアクリレートモノマーから得られる、請求項１に記載のトナー。
【請求項１０】
前記シェルは、前記トナーの１０重量％から４０重量％の量で含まれる、請求項１に記載のトナー。
【請求項１１】
前記着色剤は、カーボンブラック、シアン、マゼンタ、イエロー、およびそれらの混合物のうちの少なくとも１つから選択される、請求項１に記載のトナー。
【請求項１２】
さらにワックスを含む、請求項１に記載のトナー。
【請求項１３】
前記ワックスは、ポリエチレン、ポリプロピレン、またはそれらの混合物であり、前記ワックスは、前記トナーの固形物の１から１０重量％の量で存在する、請求項１２に記載のトナー。
【請求項１４】
着色剤と、ワックスと、任意選択の添加剤と、コポリエステル−コポリジメチルシロキサンおよび非晶質樹脂の混合物とを備えるコアと、ポリマーを含み前記コアを覆うシェルとを備える冷圧定着トナーであって、前記コポリエステル−コポリジメチルシロキサンは、コポリ（ヘキシレンドデカノエート）−コポリ−（３−プロピル−ジメチルシロキサン）、コポリ（ブチレンドデカノエート）−コポリ−（３−プロピル−ジメチルシロキサン）、コポリ−（エチレンセバケート）−コポリ−（３−プロピル−ジメチルシロキサン）、コポリ−（ブチレンセバケート）−コポリ−（３−プロピル−ジメチルシロキサン）、コポリ−（ブチレンドデカノエート）−コポリ−（３−プロピル−ジメチルシロキサン）コポリ−（エチレンドデカノエート）−コポリ−（３−プロピル−ジメチルシロキサン）、および、コポリ−（ノニレンドデカノエート）−コポリ−（３−プロピル−ジメチルシロキサン）からなる群から選択される、冷圧定着トナー。
【請求項１５】
前記非晶質樹脂が、ｔｅｒｐｏｌｙ−（プロポキシル化ビスフェノールＡ−テレフタレート）−ｔｅｒｐｏｌｙ−（プロポキシル化ビスフェノールＡ−ドデセニルコハク酸エステル）−ｔｅｒｐｏｌｙ−（プロポキシル化ビスフェノールＡ−フマレート）、およびコポリ−（プロポキシル化ビスフェノールＡ−テレフタレート）−コポリ−（プロポキシル化ビスフェノールＡ−ドデセニルコハク酸エステル）−コポリ−（エトキシル化ビスフェノールＡ−テレフタレート）−コポリ−（エトキシル化ビスフェノールＡ−ドデセニルコハク酸エステル）−コポリ−（プロポキシル化ビスフェノールＡ−トリメリテート）−コポリ−（エトキシル化ビスフェノールＡ−トリメリテート）で構成される群から選択され、
前記シェルのポリマーが、ｔｅｒｐｏｌｙ−（プロポキシル化ビスフェノールＡ−テレフタレート）−ｔｅｒｐｏｌｙ−（プロポキシル化ビスフェノールＡ−ドデセニルコハク酸エステル）−ｔｅｒｐｏｌｙ−（プロポキシル化ビスフェノールＡ−フマレート）、およびコポリ−（プロポキシル化ビスフェノールＡ−テレフタレート）−コポリ−（プロポキシル化ビスフェノールＡ−ドデセニルコハク酸エステル）−コポリ−（エトキシル化ビスフェノールＡ−テレフタレート）−コポリ−（エトキシル化ビスフェノールＡ−ドデセニルコハク酸エステル）−コポリ−（プロポキシル化ビスフェノールＡ−トリメリテート）−コポリ−（エトキシル化ビスフェノールＡ−トリメリテート）で構成される群から選択される、請求項１４に記載の冷圧定着トナー。
【請求項１６】
着色剤と、ワックスと、コポリエステル−コポリジメチルシロキサン結晶性樹脂と、コポリ−（プロポキシル化ビスフェノールＡ−テレフタレート）−コポリ−（プロポキシル化ビスフェノールＡ−ドデセニルコハク酸エステル）−コポリ−（プロポキシル化ビスフェノールＡ−フマレート）、コポリ−（プロポキシル化ビスフェノールＡ−テレフタレート）−コポリ−（プロポキシル化ビスフェノールＡ−ドデセニルコハク酸エステル）−コポリ−（エトキシル化ビスフェノールＡ−テレフタレート）−コポリ−（エトキシル化ビスフェノールＡ−ドデセニルコハク酸エステル）−コポリ−（プロポキシル化ビスフェノールＡ−トリメリテート）−コポリ−（エトキシル化ビスフェノールＡ−トリメリテート）、ポリ（プロポキシル化ビスフェノール−Ａ−コフマレート）、コポリ（プロポキシル化ビスフェノール−フマレート）−コポリ（トリメチロールプロポキシル化−ビスフェノール−フマレート）、コポリ（エトキシル化ビスフェノール−フマレート）−コポリ（トリメチロールプロポキシル化−ビスフェノール−フマレート）、コポリ−（プロポキシル化ビスフェノールＡ−テレフタレート）−コポリ−（プロポキシル化ビスフェノールＡ−ドデセニルコハク酸エステル）−コポリ−（プロポキシル化ビスフェノールＡ−フマレート）−（プロポキシル化ビスフェノールＡ−トリメリテート）、およびコポリ（プロポキシル化１，４−ジフェノール−フマレート）−コポリ（グリセリンオキシル化−ジフェノール−フマレート）で構成される群から選択される非晶質樹脂との混合物を含むコアと、前記コアを包むシェルであって、スチレンアクリレートと前記非晶質樹脂とで構成される群から選択される前記シェルとを備える、冷圧定着トナー組成物。
【請求項１７】
前記シェル用の前記非晶質樹脂が、コポリ−（プロポキシル化ビスフェノールＡ−テレフタレート）−コポリ−（プロポキシル化ビスフェノールＡ−ドデセニルコハク酸エステル）−コポリ−（プロポキシル化ビスフェノールＡ−フマレート）、およびコポリ−（プロポキシル化ビスフェノールＡ−テレフタレート）−コポリ−（プロポキシル化ビスフェノールＡ−ドデセニルコハク酸エステル）−コポリ−（エトキシル化ビスフェノールＡ−テレフタレート）−コポリ−（エトキシル化ビスフェノールＡ−ドデセニルコハク酸エステル）−コポリ−（プロポキシル化ビスフェノールＡ−トリメリテート）−コポリ−（エトキシル化ビスフェノールＡ−トリメリテート）で構成される群から選択される、請求項１６に記載のトナー。
【請求項１８】
前記コポリエステル−コポリジメチルシロキサン結晶性樹脂が前記トナーの１０重量％〜７５重量％の量で存在し、前記非晶質樹脂が前記トナーの２５〜５０重量％の量で存在する、請求項１６に記載のトナー。